(57)【要約】【課題】表示用画像の高フレームレート化と記録用画像の高品質化の両立を図りながら、余計な通信コストの発生や、画像記録表示装置での余計な負荷の発生を防止することができるようにする。【解決手段】表示用画像の送信を要求する監視カメラを示す設定情報が自己を指している場合に限り、Ａ／Ｄコンバータ１３により生成された画像データから設定情報が示す分割表示数に応じた画像サイズの表示用画像Ｓ１を生成する画像サイズ縮小回路１５と、その画像データから設定情報が示すフレームレートの記録用画像Ｓ２を生成するフレーム間引き回路１７とを設け、伝送Ｉ／Ｆ１１が表示用画像Ｓ１と記録用画像Ｓ２を画像記録表示装置２に送信する。【選択図】図１
2008131264.tif 000002
【特許請求の範囲】
【請求項１】
画像記録表示装置から表示用画像の送信を要求する監視カメラ、モニタにおける表示用画像の分割表示数及び記録用画像のフレームレートを示す設定情報を受信する設定情報受信手段と、監視エリアを撮影して画像データを生成する画像データ生成手段と、上記設定情報受信手段により受信された監視カメラを示す設定情報が自己を指している場合、上記画像データ生成手段により生成された画像データから上記設定情報受信手段により受信された設定情報が示す分割表示数に応じた画像サイズの表示用画像を生成する表示用画像生成手段と、上記画像データ生成手段により生成された画像データから上記設定情報受信手段により受信された設定情報が示すフレームレートの記録用画像を生成する記録用画像生成手段と、上記表示用画像生成手段により生成された表示用画像を上記画像記録表示装置に送信するとともに、上記記録用画像生成手段により生成された記録用画像を上記画像記録表示装置に送信する画像送信手段とを備えた監視カメラ。
【請求項２】
画像送信手段は、記録用画像を画像記録表示装置に送信する際、上記画像記録表示装置から送信されるフレーム同期信号にしたがって記録用画像の送信タイミングを調整することを特徴とする請求項１記載の監視カメラ。
【請求項３】
表示用画像生成手段は、設定情報受信手段により表示用画像の解像度を示す設定情報が受信された場合、上記設定情報が示す解像度の表示用画像を生成することを特徴とする請求項１または請求項２記載の監視カメラ。
【請求項４】
画像送信手段は、表示用画像及び記録用画像を符号化圧縮してから画像記録表示装置に送信することを特徴とする請求項１から請求項３のうちのいずれか１項記載の監視カメラ。
【請求項５】
表示用画像の送信を要求する監視カメラ、モニタにおける表示用画像の分割表示数及び記録用画像のフレームレートを示す設定情報を受け付ける設定情報受付手段と、上記設定情報受付手段により受け付けられた設定情報を複数の監視カメラに送信する設定情報送信手段と、表示用画像の送信を要求している監視カメラから表示用画像と記録用画像を受信し、表示用画像の送信を要求していない監視カメラから記録用画像を受信する画像受信手段と、上記画像受信手段により受信された表示用画像をモニタに分割表示する画像表示手段と、上記画像受信手段により受信された記録用画像を記録媒体に記録する画像記録手段とを備えた画像記録表示装置。
【請求項６】
記録用画像の送信タイミングを指示するフレーム同期信号を監視カメラに送信する送信タイミング制御手段を設けたことを特徴とする請求項５記載の画像記録表示装置。
【請求項７】
設定情報送信手段は、設定情報受付手段により表示用画像の解像度を示す設定情報が受け付けられた場合、上記設定情報を複数の監視カメラに送信することを特徴とする請求項５または請求項６記載の画像記録表示装置。
【請求項８】
画像表示手段は、画像受信手段により受信された表示用画像が符号化圧縮されている場合、上記表示用画像を伸張してからモニタに表示することを特徴とする請求項５から請求項７のうちのいずれか１項記載の画像記録表示装置。
【請求項９】
複数の監視カメラと画像記録表示装置が接続され、上記画像記録表示装置が上記監視カメラから送信される表示用画像を受信してモニタに表示し、上記画像記録表示装置が上記監視カメラから送信される記録用画像を受信して記録媒体に記録する監視カメラシステムにおいて、上記画像記録表示装置が、表示用画像の送信を要求する監視カメラ、モニタにおける表示用画像の分割表示数及び記録用画像のフレームレートを示す設定情報を受け付ける設定情報受付手段と、上記設定情報受付手段により受け付けられた設定情報を複数の監視カメラに送信する設定情報送信手段とを備え、上記監視カメラが、上記画像記録表示装置から表示用画像の送信を要求する監視カメラ、モニタにおける表示用画像の分割表示数及び記録用画像のフレームレートを示す設定情報を受信する設定情報受信手段と、監視エリアを撮影して画像データを生成する画像データ生成手段と、上記設定情報受信手段により受信された監視カメラを示す設定情報が自己を指している場合、上記画像データ生成手段により生成された画像データから上記設定情報受信手段により受信された設定情報が示す分割表示数に応じた画像サイズの表示用画像を生成する表示用画像生成手段と、上記画像データ生成手段により生成された画像データから上記設定情報受信手段により受信された設定情報が示すフレームレートの記録用画像を生成する記録用画像生成手段と、上記表示用画像生成手段により生成された表示用画像を上記画像記録表示装置に送信するとともに、上記記録用画像生成手段により生成された記録用画像を上記画像記録表示装置に送信する画像送信手段とを備え、さらに、上記画像記録表示装置が、表示用画像の送信を要求している監視カメラから表示用画像と記録用画像を受信し、表示用画像の送信を要求していない監視カメラから記録用画像を受信する画像受信手段と、上記画像受信手段により受信された表示用画像をモニタに分割表示する画像表示手段と、上記画像受信手段により受信された記録用画像を記録媒体に記録する画像記録手段とを備えていることを特徴とする監視カメラシステム。
【請求項１０】
複数の監視カメラと画像記録表示装置がネットワークに接続されていることを特徴とする請求項９記載の監視カメラシステム。
【発明の詳細な説明】
【技術分野】
【０００１】
この発明は、監視エリアを撮影して表示用画像と記録用画像を生成し、その表示用画像と記録用画像を画像記録表示装置に送信する監視カメラと、監視カメラから送信された表示用画像をモニタに表示し、監視カメラから送信された記録用画像を記録媒体に記録する画像記録表示装置と、複数台の監視カメラと１台の画像記録表示装置からなる監視カメラシステムとに関するものである。
【背景技術】
【０００２】
近年、複数台の監視カメラが監視エリアを撮影して、監視エリアの画像をデジタル化して画像記録表示装置に配信し、その画像記録表示装置が複数台の監視カメラから配信された画像を分割表示したり、画像を記録媒体に記録したりする監視カメラシステム（デジタルＣＣＴＶ：Ｃｌｏｓｅｄ  Ｃｉｒｃｕｉｔ  Ｔｅｌｅｖｉｓｉｏｎシステム）が普及し始めている。
画像記録表示装置における画像のライブ表示は、監視員が常時画像を監視するため、動きが滑らかな画像、即ち、フレームレートが高い画像が要求される。
一方、画像記録表示装置における画像の記録は、限られた容量の記録媒体に長時間記録する必要があるため、画像のフレームレートを低くして記録する。ただし、記録用画像は高画質のものが要求される。
したがって、画像のライブ表示と画像の記録では、異なるフレームレートや画質が要求される。
【０００３】
従来の監視カメラシステムでは、画像のライブ表示と画像の記録において、異なるフレームレートや画質が要求されることに対処するため、画像を符号化圧縮する手段を２系統設けるようにしている。
画像を符号化圧縮する手段を２系統設けることより、時間分解能が高い表示を可能にする第１のモードと、圧縮率を高くして長時間記録を可能にする第２のモードを用意することができるようになる。
使用者は、監視カメラシステムを利用する際、監視カメラ毎に任意のモードを選択する（例えば、特許文献１を参照）。
【０００４】
したがって、従来の監視カメラシステムによれば、画像のライブ表示と画像の記録において、画像のフレームレートをある程度自由に設定することができる。
しかし、使用者が、時間分解能が高い表示を可能にする第１のモード、即ち、フレームレートが高い第１のモードを選択すると、監視カメラからビットレートが高い画像が画像記録表示装置に伝送されることになるため、画像記録表示装置が画像を記録する前にフレームを間引く処理が必要になる。
一方、使用者が圧縮率を優先する第２のモードを選択すると、画像記録表示装置が画像を記録する前にフレームを間引く必要がなくなるが、ライブ表示のフレームレートが半減して、動きが滑らかな画像を表示することができなくなる。
【０００５】
また、画像のライブ表示では、複数のカメラの画像を１台のモニタに分割表示するのが一般的である。このため、画像記録表示装置では、複数の監視カメラから送信された画像のサイズを縮小する必要がある。
また、１台のモニタに分割表示される画像の数より、設置されている監視カメラの数が多い場合（一般的な監視カメラシステムでは、設置されている監視カメラの数の方が多いのは普通である）、画像を伝送していてもライブ表示されない監視カメラが存在することになる。
【０００６】
この場合、モード設定の如何に関わらず、表示用画像が使用されずに廃棄され、記録に使用されることはない。
したがって、何台かの監視カメラは、無駄な画像を画像記録表示装置に送信していることになり、余計な通信コストが発生している。
また、画像記録表示装置でも、表示にも記録にも使用しない画像の受信処理や廃棄処理が必要になり、余計な負荷が発生している。
【０００７】
【特許文献１】特開２００６−０４２２２４号公報（段落番号［０００６］、図１）
【発明の開示】
【発明が解決しようとする課題】
【０００８】
従来の監視カメラシステムは以上のように構成されているので、画像のライブ表示と画像の記録において、画像のフレームレートをある程度自由に設定することができる。しかし、フレームレートが高い第１のモードを選択すると、画像記録表示装置が画像を記録する前にフレームを間引く処理が必要になり、画像記録表示装置の負荷が増大する。一方、圧縮率を優先する第２のモードを選択すると、ライブ表示のフレームレートが半減して、動きが滑らかな画像を表示することができなくなる。
また、１台のモニタに分割表示される画像の数より、設置されている監視カメラの数が多い場合、何台かの監視カメラが無駄な画像を画像記録表示装置に送信することなり、余計な通信コストの発生や、画像記録表示装置での余計な負荷の発生を招くなどの課題があった。
【０００９】
この発明は上記のような課題を解決するためになされたもので、表示用画像の高フレームレート化と記録用画像の高品質化の両立を図りながら、余計な通信コストの発生や、画像記録表示装置での余計な負荷の発生を防止することができる監視カメラ、画像記録表示装置及び監視カメラシステムを得ることを目的とする。
【課題を解決するための手段】
【００１０】
この発明に係る監視カメラは、表示用画像の送信を要求する監視カメラを示す設定情報が自己を指している場合、画像データ生成手段により生成された画像データから設定情報が示す分割表示数に応じた画像サイズの表示用画像を生成する表示用画像生成手段と、画像データ生成手段により生成された画像データから設定情報が示すフレームレートの記録用画像を生成する記録用画像生成手段とを設け、画像送信手段が表示用画像生成手段により生成された表示用画像と記録用画像生成手段により生成された記録用画像を画像記録表示装置に送信するようにしたものである。
【発明の効果】
【００１１】
この発明によれば、表示用画像の送信を要求する監視カメラを示す設定情報が自己を指している場合、画像データ生成手段により生成された画像データから設定情報が示す分割表示数に応じた画像サイズの表示用画像を生成する表示用画像生成手段と、画像データ生成手段により生成された画像データから設定情報が示すフレームレートの記録用画像を生成する記録用画像生成手段とを設け、画像送信手段が表示用画像生成手段により生成された表示用画像と記録用画像生成手段により生成された記録用画像を画像記録表示装置に送信するように構成したので、表示用画像の高フレームレート化と記録用画像の高品質化の両立を図りながら、余計な通信コストの発生や、画像記録表示装置での余計な負荷の発生を防止することができる効果がある。
【発明を実施するための最良の形態】
【００１２】
実施の形態１．
図１はこの発明の実施の形態１による監視カメラシステムを示す構成図であり、図において、監視カメラ１−１〜１−Ｎは画像記録表示装置２と接続されており、各々の監視エリアを撮影して表示用画像Ｓ１と記録用画像Ｓ２を生成し、その表示用画像Ｓ１と記録用画像Ｓ２を画像記録表示装置２に送信する。
ただし、監視カメラ１−１〜１−Ｎは、詳細は後述するが、表示用画像Ｓ１の生成については設定内容によっては行わず、記録用画像Ｓ２のみを画像記録表示装置２に送信することがある。
画像記録表示装置２は監視カメラ１−１〜１−Ｎから送信された表示用画像Ｓ１をモニタ３に分割表示し、監視カメラ１−１〜１−Ｎから送信された記録用画像Ｓ２を記録媒体２６に記録する。
モニタ３は監視カメラ１−１〜１−Ｎから送信された表示用画像を分割表示する表示装置である。
【００１３】
監視カメラ１−１〜１−Ｎの伝送Ｉ／Ｆ１１は画像記録表示装置２と画像や設定情報などを送受信するためのインタフェースであり、例えば、モデムやデータ通信装置などから構成されている。
伝送Ｉ／Ｆ１１は画像記録表示装置２から表示用画像Ｓ１の送信を要求する監視カメラ、モニタ３における表示用画像Ｓ１の分割表示数及び記録用画像Ｓ２のフレームレートを示す設定情報を受信すると、その設定情報を画像縮小率算出回路１４及びフレーム間引き制御回路１６に出力する処理を実施する。
また、伝送Ｉ／Ｆ１１は画像サイズ縮小回路１５により生成された表示用画像Ｓ１とフレーム間引き回路１７により生成された記録用画像Ｓ２を画像記録表示装置２に送信する処理を実施する。
なお、伝送Ｉ／Ｆ１１は設定情報受信手段及び画像送信手段を構成している。
【００１４】
撮像素子１２は例えばＣＣＤイメージセンサなどから構成されているカメラであり、監視エリアを撮影して監視映像を出力する処理を実施する。
Ａ／Ｄコンバータ１３は撮像素子１２から出力された監視映像をデジタル化して、デジタルの画像データを生成する処理を実施する。
なお、撮像素子１２及びＡ／Ｄコンバータ１３から画像データ生成手段が構成されている。
【００１５】
画像縮小率算出回路１４は伝送Ｉ／Ｆ１１により受信された監視カメラを示す設定情報が自己を指している場合に限り、伝送Ｉ／Ｆ１１により受信された設定情報が示す分割表示数から表示用画像Ｓ１の縮尺率を算出する処理を実施する。
画像サイズ縮小回路１５は画像縮小率算出回路１４により表示用画像Ｓ１の縮尺率が算出された場合に限り、Ａ／Ｄコンバータ１３により生成された画像データを当該縮尺率で縮小することにより、その設定情報が示す分割表示数に応じた画像サイズの表示用画像Ｓ１を生成する処理を実施する。
なお、画像縮小率算出回路１４及び画像サイズ縮小回路１５から表示用画像生成手段が構成されている。
【００１６】
フレーム間引き制御回路１６は伝送Ｉ／Ｆ１１により受信された設定情報が示すフレームレートをフレーム間引き回路１７に指示する処理を実施する。
フレーム間引き回路１７はフレーム間引き制御回路１６から指示されるフレームレートで、Ａ／Ｄコンバータ１３により生成された画像データに対するフレーム間引き処理を実施して、記録用画像Ｓ２を生成する処理を実施する。
なお、フレーム間引き制御回路１６及びフレーム間引き回路１７から記録用画像生成手段が構成されている。
【００１７】
表示モード設定部２１は例えばキーボードやマウスなどのマンマシンインタフェースを実装しており、表示用画像Ｓ１の送信を要求する監視カメラを示す設定情報や、モニタ３における表示用画像Ｓ１の分割表示数を示す設定情報の入力を受け付ける処理を実施する。
フレームレート設定部２２は例えばキーボードやマウスなどのマンマシンインタフェースを実装しており、記録用画像Ｓ２のフレームレートを示す設定情報の入力を受け付ける処理を実施する。
なお、表示モード設定部２１及びフレームレート設定部２２から設定情報受付手段が構成されている。
【００１８】
伝送Ｉ／Ｆ２３は監視カメラ１−１〜１−Ｎと画像や設定情報などを送受信するためのインタフェースであり、例えば、モデムやデータ通信装置などから構成されている。
伝送Ｉ／Ｆ２３は表示モード設定部２１及びフレームレート設定部２２により受け付けられた設定情報を監視カメラ１−１〜１−Ｎに送信する一方、表示用画像Ｓ１の送信を要求している監視カメラ１から表示用画像Ｓ１と記録用画像Ｓ２を受信し、表示用画像Ｓ１の送信を要求していない監視カメラ１から記録用画像Ｓ２を受信する処理を実施する。
なお、伝送Ｉ／Ｆ２３は設定情報送信手段及び画像受信手段を構成している。
【００１９】
表示処理回路２４は表示モード設定部２１により受け付けられた設定情報が示す分割表示数だけ、伝送Ｉ／Ｆ２３により受信された表示用画像Ｓ１をモニタ３に分割表示する処理を実施する。なお、表示処理回路２４は画像表示手段を構成している。
圧縮符号化回路２５は伝送Ｉ／Ｆ２３により受信された記録用画像Ｓ２を圧縮符号化して記録媒体２６に記録する処理を実施する。なお、圧縮符号化回路２５は画像記録手段を構成している。
記録媒体２６は圧縮符号化回路２５により圧縮符号化された記録用画像Ｓ２を記録するハードディスクなどのメモリである。
【００２０】
次に動作について説明する。
この実施の形態１では、説明の便宜上、図２に示すように、９台の監視カメラ１−１〜１−９が画像記録表示装置２に接続されているものとする。また、９台の監視カメラ１−１〜１−９のうち、４台の監視カメラ１−１〜１−４により生成された表示用画像Ｓ１をモニタ３に４分割表示するものとする。
また、モニタ３の解像度がＳＸＧＡ（１２８０×１０２４画素）であり、監視カメラ１−１〜１−９により生成される表示用画像Ｓ１の解像度も同じくＳＸＧＡであるとする。
さらに、監視カメラ１−１〜１−９から送信される画像の最大フレームレートが「１５フレーム／秒」であり、監視カメラ１−１〜１−４から表示用画像Ｓ１が「１５フレーム／秒」のフレームレートで画像記録表示装置２に送信されるものとする。
【００２１】
ユーザは、４台の監視カメラ１−１〜１−４により生成された表示用画像Ｓ１をモニタ３に４分割表示する場合、画像記録表示装置２の表示モード設定部２１を操作して、表示用画像Ｓ１の送信を要求する監視カメラとして、「監視カメラ１−１〜１−４」を設定し、また、モニタ３における表示用画像Ｓ１の分割表示数として「４」を設定する。
また、ユーザは、画像記録表示装置２のフレームレート設定部２２を操作して、記録用画像Ｓ２のフレームレートを設定する。
ここでは、記録用画像Ｓ２のフレームレートとして、例えば、「１フレーム／秒」に設定するものとする。
【００２２】
画像記録表示装置２の伝送Ｉ／Ｆ２３は、表示モード設定部２１及びフレームレート設定部２２による設定情報（表示用画像Ｓ１の送信を要求する監視カメラ→「監視カメラ１−１〜１−４」、モニタ３における表示用画像Ｓ１の分割表示数→「４」、記録用画像Ｓ２のフレームレート→「１フレーム／秒」）を監視カメラ１−１〜１−Ｎに送信する。
【００２３】
一方、監視カメラ１−１〜１−Ｎの撮像素子１２は、監視エリアを撮影して監視映像をＡ／Ｄコンバータ１３に出力する。
監視カメラ１−１〜１−ＮのＡ／Ｄコンバータ１３は、撮像素子１２から監視映像を受けると、その監視映像をデジタル化して、デジタルの画像データを生成し、その画像データを画像サイズ縮小回路１５及びフレーム間引き回路１７に出力する。
【００２４】
監視カメラ１−１〜１−９の伝送Ｉ／Ｆ１１は、画像記録表示装置２の伝送Ｉ／Ｆ２３から送信される設定情報を受信すると、その設定情報のうち、表示用画像Ｓ１の送信を要求する監視カメラを示す設定情報と、モニタ３における表示用画像Ｓ１の分割表示数を示す設定情報とを画像縮小率算出回路１４に出力し、記録用画像Ｓ２のフレームレートを示す設定情報をフレーム間引き制御回路１６に出力する。
【００２５】
監視カメラ１−１〜１−９の画像縮小率算出回路１４は、伝送Ｉ／Ｆ１１から表示用画像Ｓ１の送信を要求する監視カメラを示す設定情報と、モニタ３における表示用画像Ｓ１の分割表示数を示す設定情報を受けると、表示用画像Ｓ１の送信を要求する監視カメラを示す設定情報が自己を指しているか否かを判定する。
この例では、表示用画像Ｓ１の送信を要求する監視カメラが「監視カメラ１−１〜１−４」であるため、監視カメラ１−１〜１−４は、自己が表示用画像Ｓ１の送信を要求されていると判断し、監視カメラ１−５〜１−９は、自己が表示用画像Ｓ１の送信を要求されていないと判断する。
【００２６】
監視カメラ１−１〜１−４の画像縮小率算出回路１４は、自己が表示用画像Ｓ１の送信を要求されていると判断すると、モニタ３における表示用画像Ｓ１の分割表示数を示す設定情報から表示用画像Ｓ１の縮尺率を算出する。
この例では、モニタ３における表示用画像Ｓ１の分割表示数が「４」であり、表示用画像Ｓ１の画像サイズを縦横１／２に縮小する必要があるため、表示用画像Ｓ１の縮尺率として、２５％（＝（１／２）×（１／２）×１００％）を算出する。
なお、監視カメラ１−５〜１−９の画像縮小率算出回路１４は、自己が表示用画像Ｓ１の送信を要求されていないと判断しているので、表示用画像Ｓ１の縮尺率の算出処理を実行しない。
【００２７】
監視カメラ１−１〜１−４の画像サイズ縮小回路１５は、画像縮小率算出回路１４が表示用画像Ｓ１の縮尺率が算出すると、Ａ／Ｄコンバータ１３から出力されたデジタルの画像データを縮尺率（２５％）で縮小することにより、分割表示数「４」に応じた画像サイズの表示用画像Ｓ１を生成する。即ち、画像サイズが（６４０×５１２画素）の表示用画像Ｓ１を生成する。
なお、監視カメラ１−５〜１−Ｎの画像サイズ縮小回路１５は、画像縮小率算出回路１４が表示用画像Ｓ１の縮尺率を算出していないので、Ａ／Ｄコンバータ１３からデジタルの画像データを受けても、表示用画像Ｓ１の生成処理を実行しない。
【００２８】
監視カメラ１−１〜１−Ｎのフレーム間引き制御回路１６は、伝送Ｉ／Ｆ１１から記録用画像Ｓ２のフレームレートを示す設定情報を受けると、記録用画像Ｓ２のフレームレートを認識して、そのフレームレートをフレーム間引き回路１７に指示する。
監視カメラ１−１〜１−Ｎのフレーム間引き回路１７は、フレーム間引き制御回路１６から指示されるフレームレートで、Ａ／Ｄコンバータ１３により生成された画像データに対するフレーム間引き処理を実施して、記録用画像Ｓ２を生成する。
この例では、記録用画像Ｓ２のフレームレートが「１フレーム／秒」であるため、Ａ／Ｄコンバータ１３から出力されたフレームレートが「１５フレーム／秒」の画像データから「１４フレーム／秒」だけ間引くことにより、フレームレートが「１フレーム／秒」の記録用画像Ｓ２を生成する。
【００２９】
監視カメラ１−１〜１−４の伝送Ｉ／Ｆ１１は、画像サイズ縮小回路１５が表示用画像Ｓ１を生成し、フレーム間引き回路１７が記録用画像Ｓ２を生成すると、その表示用画像Ｓ１と記録用画像Ｓ２を画像記録表示装置２に送信する。
また、監視カメラ１−５〜１−９の伝送Ｉ／Ｆ１１は、画像サイズ縮小回路１５が表示用画像Ｓ１を生成しないので、フレーム間引き回路１７により生成された記録用画像Ｓ２のみを画像記録表示装置２に送信する。
【００３０】
ここで、図２は監視カメラ１−１が表示用画像Ｓ１として、画像サイズが縦横１／２に縮小された画像ｇ１−１〜ｇ１−ｎを最大のフレームレート「１５フレーム／秒」で送信し、記録用画像Ｓ２として、画像Ｇ１−１〜Ｇ１−ｎを「１フレーム／秒」で送信している様子を示している。
図２では省略しているが、監視カメラ１−２〜１−４も、監視カメラ１−１と同様に、表示用画像Ｓ１と記録用画像Ｓ２を送信している。
また、図２は監視カメラ１−５が表示用画像Ｓ１を送信せずに、記録用画像Ｓ２として、画像Ｇ５−１〜Ｇ５−ｎを「１フレーム／秒」で送信している様子を示している。
図２では省略しているが、監視カメラ１−６〜１−９も、監視カメラ１−５と同様に、記録用画像Ｓ２を送信している。
【００３１】
画像記録表示装置２の伝送Ｉ／Ｆ２３は、表示用画像Ｓ１の送信を要求している監視カメラ１−１〜１−４から表示用画像Ｓ１と記録用画像Ｓ２を受信し、表示用画像Ｓ１の送信を要求していない監視カメラ１−５〜１−９から記録用画像Ｓ２を受信する。
画像記録表示装置２の表示処理回路２４は、伝送Ｉ／Ｆ２３が監視カメラ１−１〜１−４から表示用画像Ｓ１を受信すると、表示モード設定部２１により受け付けられた分割表示数「４」にしたがって、監視カメラ１−１〜１−４の表示用画像Ｓ１をモニタ３に４分割表示する。
画像記録表示装置２の圧縮符号化回路２５は、伝送Ｉ／Ｆ２３が監視カメラ１−１〜１−９から記録用画像Ｓ２を受信すると、監視カメラ１−１〜１−９の記録用画像Ｓ２を圧縮符号化して記録媒体２６に記録する。
【００３２】
ここまでは、９台の監視カメラ１−１〜１−９のうち、４台の監視カメラ１−１〜１−４により生成された表示用画像Ｓ１をモニタ３に４分割表示するものについて示したが、例えば、９台の監視カメラ１−１〜１−９により生成された表示用画像Ｓ１をモニタ３に９分割表示するようにしてもよい。
この場合、画像記録表示装置２に接続されている全ての監視カメラ１−１〜１−９が表示用画像Ｓ１を生成して、その表示用画像Ｓ１を画像記録表示装置２に送信することになるが、９枚の表示用画像Ｓ１をモニタ３に９分割表示する必要があるため、監視カメラ１−１〜１−９の画像サイズ縮小回路１５では、画像サイズを縦横１／３に縮小した表示用画像Ｓ１を生成する。
【００３３】
ここで、図３は監視カメラ１−１が表示用画像Ｓ１として、画像サイズが縦横１／３に縮小された画像ｇ１−１〜ｇ１−ｎを最大のフレームレート「１５フレーム／秒」で送信し、記録用画像Ｓ２として、画像Ｇ１−１〜Ｇ１−ｎを「１フレーム／秒」で送信している様子を示している。
図３では省略しているが、監視カメラ１−２〜１−９も、監視カメラ１−１と同様に、表示用画像Ｓ１と記録用画像Ｓ２を送信している。
【００３４】
次に、この実施の形態１の監視カメラシステムと、従来の監視カメラシステムとを比較して、どの程度、伝送ビットレートが節約されているかを説明する。
例えば、監視カメラ１−１〜１−９がＳＸＧＡ、１５フレーム／秒、ＹＵＶ４２２（１画素当り１６ビット）の表示用画像Ｓ１を送信する場合、画像データのビットレートは監視カメラ１台当り３００Ｍｂｉｔ／ｓｅｃ、９台では２．７Ｇｂｉｔ／ｓｅｃになる。
【００３５】
従来の監視カメラシステムでは、これらの画像データを画像記録表示装置が全て受信した後、画像記録表示装置の内部で、分割表示用画像の縮小処理や、記録用画像のフレーム間引き処理を実施している。即ち、画像記録表示装置のデータ受信回路は、監視カメラ９台分の画像データ、２．７Ｇｂｉｔ／ｓｅｃのデータ処理が可能な性能を備えなければならない。
【００３６】
この実施の形態１の監視カメラシステムでは、例えば、表示用画像Ｓ１を４分割表示する場合、４台の監視カメラ１が縦横１／２に縮小した表示用画像Ｓ１を送信する。この場合、画像データのビットレートは１／４になるため、３００／４＝７５Ｍｂｉｔ／ｓｅｃになる。
また、記録用画像Ｓ２は、１５フレーム／秒を１フレーム／秒に間引いて送信するため、画像データのビットレートは１／１５になり、３００／１５＝２０Ｍｂｉｔ／ｓｅｃになる。
したがって、モニタ３に表示される４台の監視カメラ１の１台当りのビットレートは、２つの画像の合計９５Ｍｂｉｔ／ｓｅｃになる。
一方、モニタ３に表示されない他の５台の監視カメラ１は、記録用画像Ｓ２だけを送信するので、２０Ｍｂｉｔ／ｓｅｃである。
９台の監視カメラ１の合計のビットレートは、９５×４＋２０×５＝４８０Ｍｂｉｔ／ｓｅｃとなる。
９台の監視カメラの画像の合計ビットレートが２.７Ｇｂｉｔ／ｓｅｃである従来の監視カメラシステムと比べて、画像記録表示装置２が受信するデータは約８２％低減されていることになる。
【００３７】
９台の監視カメラ１−１〜１−９により生成された表示用画像Ｓ１をモニタ３に９分割表示する場合も同様に計算すると、表示用画像Ｓ１は縦横１／３に縮小した画像を送信するため、画像データのビットレートは１／９になり、３００／９＝３３．３３Ｍｂｉｔ／ｓｅｃになる。
記録用画像Ｓ２のビットレートは、４分割表示の場合と変わらず、２０Ｍｂｉｔ／ｓｅｃである。
したがって、監視カメラ１台当りのビットレートは５３．３３Ｍｂｉｔ／ｓｅｃ、９台では４８０Ｍｂｉｔ／ｓｅｃになる。
４分割表示の場合と同様に、従来の監視カメラシステムと比べて、画像データのビットレートが８２％低減されていることになる。
【００３８】
また、従来の監視カメラシステムでは、監視カメラと画像記録表示装置を接続するケーブルなどの伝送媒体は、３００Ｍｂｉｔ／ｓｅｃ伝送できる必要があるが、この実施の形態１の監視カメラシステムでは、ビットレートが低いため、安価な伝送媒体で実現可能であり、仮に周波数特性が同じ伝送媒体を使用すれば、従来の監視カメラシステムより伝送距離を伸ばすことができる。
また、画像記録表示装置２の受信データレートも９台合計で２．７Ｇｂｉｔ／ｓｅｃ〜４８０Ｍｂｉｔ／ｓｅｃに低減されるため、受信データ処理回路の動作周波数を低くでき、安価なデバイスで回路を構成することができる。
【００３９】
以上で明らかなように、この実施の形態１によれば、表示用画像の送信を要求する監視カメラを示す設定情報が自己を指している場合に限り、Ａ／Ｄコンバータ１３により生成された画像データから設定情報が示す分割表示数に応じた画像サイズの表示用画像Ｓ１を生成する画像サイズ縮小回路１５と、Ａ／Ｄコンバータ１３により生成された画像データから設定情報が示すフレームレートの記録用画像Ｓ２を生成するフレーム間引き回路１７とを設け、伝送Ｉ／Ｆ１１が画像サイズ縮小回路１５により生成された表示用画像Ｓ１とフレーム間引き回路１７により生成された記録用画像Ｓ２を画像記録表示装置２に送信するように構成したので、表示用画像Ｓ１の高フレームレート化と記録用画像Ｓ２の高品質化の両立を図りながら、余計な通信コストの発生や、画像記録表示装置２での余計な負荷の発生を防止することができる効果を奏する。
即ち、画像記録表示装置２では表示用画像の廃棄処理が不要になるため、回路の簡略化を図ることができ、また、受信データ処理回路の動作周波数も低くすることができるため、受信回路にかかるコストを抑えることができる効果を奏する。
【００４０】
なお、この実施の形態１では、表示用画像Ｓ１をモニタ３に４分割表示する場合と９分割表示する場合について示したが、これに限るものではなく、他の数で分割表示する場合も同様の効果を奏することができる。
また、１０台以上の監視カメラ１を画像記録表示装置２と接続する場合も同様の効果を奏することができる。
【００４１】
実施の形態２．
図４はこの発明の実施の形態２による監視カメラシステムを示す構成図であり、図において、図１と同一符号は同一または相当部分を示すので説明を省略する。
監視カメラ１−１〜１−ＮのネットワークＩ／Ｆ３１は、例えばＥｔｈｅｒｎｅｔ（登録商標）などのネットワーク３３と接続され、ネットワーク３３を介して画像記録表示装置２とデータのやり取りを行うインタフェース装置である。
画像記録表示装置２のネットワークＩ／Ｆ３２は、例えばＥｔｈｅｒｎｅｔ（登録商標）などのネットワーク３３と接続され、ネットワーク３３を介して監視カメラ１−１〜１−Ｎとデータのやり取りを行うインタフェース装置である。
【００４２】
上記実施の形態１では、監視カメラ１−１〜１−Ｎが、例えば、ケーブル等の伝送媒体を介して、画像記録表示装置２と直接接続されている形態を想定しているが、この実施の形態２では、監視カメラ１−１〜１−Ｎと画像記録表示装置２がネットワークＩ／Ｆ３１，３２を備えて、監視カメラ１−１〜１−Ｎと画像記録表示装置２がネットワーク３３に接続されている形態を想定している。
監視カメラ１−１〜１−Ｎと画像記録表示装置２の基本的な動作は、上記実施の形態１と同様である。
【００４３】
上記実施の形態１では、画像記録表示装置２に備えられている伝送媒体の接続コネクタの口数で、接続可能な監視カメラ１の個数が制限される。
例えば、監視カメラ１のケーブルを接続するコネクタが画像記録表示装置２に９個しかなければ、監視カメラ１は１０台以上接続することができない。
これに対して、この実施の形態２によるネットワーク接続では、監視カメラ１の接続台数に物理的な制限がなくなる。
【００４４】
一般的に、ネットワーク３３には世界的に普及したＥｔｈｅｒｎｅｔ（登録商標）が使われている。Ｅｔｈｅｒｎｅｔ（登録商標）は、１００Ｍｂｉｔ／ｓｅｃのデータを送受信することができる１００ＢＡＳＥ−ＴＸと、１Ｇｂｉｔ／ｓｅｃのデータを送受信することができる１０００ＢＡＳＥ−Ｔという規格があり、殆どのネットワーク機器は、この規格に従ってデータを伝送している。
【００４５】
先に述べた通り、従来の監視カメラシステムでは、ＳＸＧＡ、１５フレーム／秒の画像データは３００Ｍｂｉｔ／ｓｅｃになるため、伝送には１０００ＢＡＳＥ−Ｔが必要になる。また、例えば、監視カメラのデータを９ストリーム受信する場合、画像記録表示装置のネットワークＩ／Ｆが受信するビットレートは２．７Ｇｂｉｔ／ｓｅｃになるため、１０００ＢＡＳＥ−Ｔでも１系統では収容できず、最低３系統の１０００ＢＡＳＥ−Ｔを使用して伝送する必要がある。
【００４６】
しかし、この実施の形態２の監視カメラシステムでは、前述の通り、４分割表示を行うとき、記録間隔を１ｆｐｓとする場合の監視カメラ１台当りのビットレートは、最大９５Ｍｂｉｔ／ｓｅｃになるので、監視カメラ１の伝送Ｉ／Ｆとして１００ＢＡＳＥ−Ｔが使える。また、画像記録表示装置２のネットワークＩ／Ｆ３２の受信ビットレートは４８０Ｍｂｉｔ／ｓｅｃであるため、１０００ＢＡＳＥ−Ｔのケーブル１本で収容することができる。
【００４７】
したがって、この実施の形態２によれば、監視カメラ１及び画像記録表示装置２の両方において、従来の監視カメラシステムより低コストのネットワークＩ／Ｆ３１，３２を使うことができ、システムのコスト削減を図ることができる効果を奏する。
また、監視カメラ１と画像記録表示装置２がネットワーク３３で接続されるため、上記実施の形態１のように、監視カメラ１の接続台数に物理的な制限がない。従来の監視カメラシステムより監視カメラ１台当りのビットレートが低いため、より多数の監視カメラ１を接続することが可能になる。
したがって、より規模の大きな監視カメラシステムの構築ができる効果も奏する。
【００４８】
実施の形態３．
図５はこの発明の実施の形態３による監視カメラシステムを示す構成図であり、図において、図１と同一符号は同一または相当部分を示すので説明を省略する。
フレーム同期信号生成回路４１は記録用画像Ｓ２の送信タイミングを指示する信号として、監視カメラ１−１〜１−Ｎの最大フレームレートと同じ一定の間隔でフレーム同期信号を生成し、伝送Ｉ／Ｆ２３を介して、そのフレーム同期信号を監視カメラ１−１〜１−Ｎに送信する処理を実施する。
なお、フレーム同期信号生成回路４１及び伝送Ｉ／Ｆ２３から送信タイミング制御手段が構成されている。
フレーム同期制御回路４２は伝送Ｉ／Ｆ１１が画像記録表示装置２から送信されたフレーム同期信号を受信したタイミングで、記録用画像Ｓ２の送信指令をフレーム間引き回路１７に出力する処理を実施する。なお、フレーム同期制御回路４２は画像送信手段を構成している。
【００４９】
上記実施の形態１では、特に言及していないが、複数の監視カメラ１−１〜１−９が相互に同期をとらず、表示用画像Ｓ１及び記録用画像Ｓ２を各々非同期で画像記録表示装置２に送信する。
図７は実施の形態１における監視カメラ１−１〜１−９が記録用画像Ｓ２を送信するタイミングを示すタイムチャートである。
図において、（１）〜（９）は監視カメラ１−１〜１−９における記録用画像Ｓ２の送信を時間経過で表している。
カメラ１−１〜１−９における記録用画像Ｓ２は、それぞれが非同期で送信されるため、画像記録表示装置２が受信する記録用画像Ｓ２のビットレートが大幅に変動する可能性がある。
【００５０】
例えば、図７の時間帯Ａでは、監視カメラ１−１〜１−５の記録用画像Ｓ２が同時に送信されているが、時間帯Ｂでは、監視カメラ１−７の記録用画像Ｓ２しか伝送されていない。
このような場合、画像記録受信装置２の受信回路（例えば、伝送Ｉ／Ｆ２３）では、同時に送信されてくる複数の監視カメラ１の記録用画像Ｓ２がオーバーフローしないように大容量の受信バッファを備える必要がある。大容量の受信バッファは画像記録表示装置２のコストアップ要因になる。
【００５１】
そこで、この実施の形態３では、複数の監視カメラ１−１〜１−９が順番に記録用画像Ｓ２を画像記録表示装置２に送信するようにしている。
具体的には、以下の通りである。
まず、画像記録表示装置２のフレーム同期信号生成回路４１が、監視カメラ１−１〜１−９の最大フレームレートと同じ一定間隔のフレーム同期信号を生成する。
例えば、監視カメラ１−１〜１−９が１５フレーム／秒で記録用画像Ｓ２を送信する場合、１／１５秒間隔のフレーム同期信号を生成する。
また、フレーム同期信号生成回路４１は、１〜１５で巡回するフレーム番号情報も生成し、そのフレーム番号情報をフレーム同期信号に重畳する。
画像記録表示装置２の伝送Ｉ／Ｆ２３は、フレーム同期信号生成回路４１がフレーム番号情報を含むフレーム同期信号Ｓ３を生成すると、そのフレーム同期信号Ｓ３を監視カメラ１−１〜１−９に送信する。
【００５２】
監視カメラ１−１〜１−９のフレーム同期制御回路４２は、伝送Ｉ／Ｆ１１が画像記録表示装置２から送信されたフレーム同期信号Ｓ３を受信すると、そのフレーム同期信号Ｓ３に重畳されているフレーム番号情報を読み取り、そのフレーム番号情報が自己に割り当てられているフレーム番号と一致しているか否かを確認する。
例えば、フレーム番号情報が「１」であれば、監視カメラ１−１のフレーム同期制御回路４２が自己に割り当てられているフレーム番号と一致していると判断し、フレーム番号情報が「２」であれば、監視カメラ１−２のフレーム同期制御回路４２が自己に割り当てられているフレーム番号と一致していると判断する。
【００５３】
監視カメラ１−１〜１−９のフレーム同期制御回路４２は、フレーム番号情報が自己に割り当てられているフレーム番号と一致していると判断すると、記録用画像Ｓ２の送信指令をフレーム間引き回路１７に出力する。
監視カメラ１−１〜１−９のフレーム間引き回路１７は、フレーム同期制御回路４２から記録用画像Ｓ２の送信指令を受けると、そのタイミングで既に生成済みの最新の記録用画像Ｓ２を伝送Ｉ／Ｆ１１に出力する。
監視カメラ１−１〜１−９の伝送Ｉ／Ｆ１１は、フレーム間引き回路１７から出力された記録用画像Ｓ２を画像記録表示装置２に送信する。
【００５４】
図６はこの実施の形態３における監視カメラ１−１〜１−９が記録用画像Ｓ２を送信するタイミングを示すタイムチャートである。
図において、フレーム同期信号Ｓ３の上の数字はフレーム番号を示しており、（１）〜（９）は監視カメラ１−１〜１−９における記録用画像Ｓ２の送信を時間経過で表している。
図６から明らかなように、監視カメラ１−１〜１−９がフレーム同期信号Ｓ３とフレーム番号を基準にして記録用画像Ｓ２を送信するため、監視カメラ１−１〜１−９が記録用画像Ｓ２を順番に送信しており、複数の監視カメラ１が同時に記録用画像Ｓ２を送信することがなくなる。このため、伝送ビットレートの変動が抑制されている。
【００５５】
図８はこの実施の形態３における監視カメラ１−１〜１−４が表示用画像Ｓ１を送信するタイミングを示すタイムチャートである。
表示用画像Ｓ１の４分割表示を行う場合、表示用画像Ｓ１は１５フレーム／秒のフレームレートで送信されるが、４分割表示を行う場合の表示用画像Ｓ１のデータ量は１／４であるため、伝送時間も１／４になる。
したがって、１フレーム期間に４フレームの表示用画像Ｓ１のデータを送信することができる。
【００５６】
そこで、監視カメラ１−１〜１−４のフレーム同期制御回路４２は、伝送Ｉ／Ｆ１１が画像記録表示装置２から送信されたフレーム同期信号Ｓ３を受信すると、そのフレーム同期信号Ｓ３に重畳されているフレーム番号情報に関わらず、表示用画像Ｓ１の送信指令を画像サイズ縮小回路１５に出力する。
監視カメラ１−１〜１−４の画像サイズ縮小回路１５は、フレーム同期制御回路４２から表示用画像Ｓ１の送信指令を受けると、図８に示すように、表示用画像Ｓ１の送信タイミングを相互にずらしながら、既に生成済みの最新の表示用画像Ｓ１を伝送Ｉ／Ｆ１１に出力する。なお、監視カメラ１−１〜１−４が表示用画像Ｓ１の送信指令を受けてから、表示用画像Ｓ１の送信を開始するまでの時間は、予め設定されているものとする。
図８では、監視カメラ１−１  →  １−２  →  １−３  →  １−４  →  １−１・・・の順番で表示用画像Ｓ１を送信している例を示している。
これにより、表示画像Ｓ１の送信においても、同時に複数の監視カメラ１の表示用画像Ｓ１が送信されることがないため、伝送ビットレートの変動が抑制される。
【００５７】
以上で明らかなように、この実施の形態３によれば、記録用画像Ｓ２を画像記録表示装置２に送信する際、画像記録表示装置２から送信されるフレーム同期信号Ｓ３にしたがって記録用画像Ｓ２の送信タイミングを調整するように構成したので、複数の監視カメラ１が同時に記録用画像Ｓ２を送信するのを回避して、伝送ビットレートの変動を抑制することができる効果を奏する。
これにより、画像記録表示装置２が備える受信バッファサイズを小さくすることができるため、画像記録表示装置２のデータ受信回路のコストを削減することができる。
【００５８】
なお、この実施の形態３では、監視カメラ１−１〜１−Ｎが、例えば、ケーブル等の伝送媒体を介して、画像記録表示装置２と直接接続されているものについて示したが、上記実施の形態２と同様に、監視カメラ１−１〜１−Ｎと画像記録表示装置２がネットワーク３３に接続されていてもよい。
【００５９】
実施の形態４．
図９はこの発明の実施の形態４による監視カメラシステムを示す構成図であり、図において、図１と同一符号は同一または相当部分を示すので説明を省略する。
表示解像度設定部５１は例えばキーボードやマウスなどのマンマシンインタフェースを実装しており、表示用画像Ｓ１の解像度を示す設定情報の入力を受け付ける処理を実施する。なお、表示解像度設定部５１は設定情報受付手段を構成している。
画像縮小率算出回路５２は伝送Ｉ／Ｆ１１により受信された監視カメラを示す設定情報が自己を指している場合に限り、伝送Ｉ／Ｆ１１により受信された設定情報が示す分割表示数と解像度から表示用画像Ｓ１の縮尺率を算出する処理を実施する。なお、画像縮小率算出回路５２は表示用画像生成手段を構成している。
【００６０】
上記実施の形態１では、モニタ３の解像度がＳＸＧＡであるものについて示したが、モニタ３には解像度がＳＸＧＡの他に、ＶＧＡ（６４０×４８０画素），ＸＧＡ（１０２４×７６８画素），ＵＸＧＡ（１６００×１２００画素）など様々な解像度が存在するため、画像記録表示装置２に接続されるモニタ３の解像度によって表示用画像Ｓ１の縮小率が異なってくる。
そこで、この実施の形態４では、ユーザが表示用画像Ｓ１の解像度を指定することができるようにして、様々なモニタ３を画像記録表示装置２に接続することができるようにしている。
具体的には、以下の通りである。
【００６１】
まず、ユーザが画像記録表示装置２の表示解像度設定部５１を操作して、表示用画像Ｓ１の解像度を設定する。
画像記録表示装置２の伝送Ｉ／Ｆ２３は、表示解像度設定部５１により受け付けられた表示用画像Ｓ１の解像度を示す設定情報を監視カメラ１−１〜１−Ｎに送信する。
監視カメラ１−１〜１−Ｎの画像縮小率算出回路５２は、図１の画像縮小率算出回路１４と同様に、伝送Ｉ／Ｆ１１により受信された監視カメラを示す設定情報が自己を指している場合に限り、表示用画像Ｓ１の縮尺率を算出するが、伝送Ｉ／Ｆ１１により受信された設定情報が示す分割表示数だけでなく、表示用画像Ｓ１の解像度も考慮して、表示用画像Ｓ１の縮尺率を算出する。
【００６２】
画像記録表示装置２の表示処理回路２４は、伝送Ｉ／Ｆ２３が監視カメラ１−１〜１−Ｎから表示用画像Ｓ１を受信すると、上記実施の形態１と同様に、表示モード設定部２１により受け付けられた分割表示数にしたがって、監視カメラ１−１〜１−Ｎの表示用画像Ｓ１をモニタ３に分割表示するが、表示解像度設定部５１により受け付けられた解像度に適合する映像信号を生成して、表示用画像Ｓ１をモニタ３に分割表示する。
【００６３】
以上で明らかなように、この実施の形態４によれば、表示用画像Ｓ１の解像度を示す設定情報の入力を受け付ける表示解像度設定部５１を設け、画像縮小率算出回路５２が伝送Ｉ／Ｆ１１により受信された設定情報が示す分割表示数と解像度から表示用画像Ｓ１の縮尺率を算出するように構成したので、ユーザが画像記録表示装置２に接続するモニタ３の解像度によって監視カメラ１の画像表示サイズを変更する手間が省け、設定や運用の省力化を図ることができる効果を奏する。また、モニタ３の解像度を自由に選択することができるため、システム構築の柔軟性を高めることができる効果も奏する。
【００６４】
実施の形態５．
図１０はこの発明の実施の形態５による監視カメラシステムを示す構成図であり、図において、図１と同一符号は同一または相当部分を示すので説明を省略する。
符号化圧縮回路６１は画像サイズ縮小回路１５により生成された表示用画像Ｓ１を符号化圧縮して、符号化圧縮後の表示用画像Ｓ１を伝送Ｉ／Ｆ１１に出力する処理を実施する。
符号化圧縮回路６２はフレーム間引き回路１７により生成された記録用画像Ｓ２を符号化圧縮して、符号化圧縮後の記録用画像Ｓ２を伝送Ｉ／Ｆ１１に出力する処理を実施する。
なお、符号化圧縮回路６１，６２は画像送信手段を構成している。
【００６５】
符号化データ伸張回路６３は伝送Ｉ／Ｆ２３により受信された表示用画像Ｓ１が符号化圧縮されている場合、その表示用画像Ｓ１を伸張して、伸張後の表示用画像Ｓ１を表示処理回路２４に出力する処理を実施する。なお、符号化データ伸張回路６３は画像表示手段を構成している。
符号化データ記録回路６４は伝送Ｉ／Ｆ２３により受信された記録用画像Ｓ２を記録媒体２６に記録する処理を実施する。なお、符号化データ記録回路６４は画像記録手段を構成している。
【００６６】
上記実施の形態１〜４では、監視カメラ１から表示用画像Ｓ１及び記録用画像Ｓ２が符号化圧縮されていないＲＡＷデータの画像が送信されるものについて示したが、表示用画像Ｓ１及び記録用画像Ｓ２を符号化圧縮して、符号化圧縮後の表示用画像Ｓ１及び記録用画像Ｓ２を送信するようにしてもよい。
具体的には、以下の通りである。
【００６７】
監視カメラ１−１〜１−Ｎの符号化圧縮回路６１は、上記実施の形態１と同様にして、画像サイズ縮小回路１５が表示用画像Ｓ１を生成すると、その表示用画像Ｓ１を符号化圧縮して、符号化圧縮後の表示用画像Ｓ１を伝送Ｉ／Ｆ１１に出力する。
また、監視カメラ１−１〜１−Ｎの符号化圧縮回路６２は、上記実施の形態１と同様にして、フレーム間引き回路１７が記録用画像Ｓ２を生成すると、その記録用画像Ｓ２を符号化圧縮して、符号化圧縮後の記録用画像Ｓ２を伝送Ｉ／Ｆ１１に出力する。
【００６８】
画像記録表示装置２の符号化圧縮回路６１は、上記実施の形態１と同様にして、伝送Ｉ／Ｆ２３が表示用画像Ｓ１を受信すると、その表示用画像Ｓ１を伸張して、伸張後の表示用画像Ｓ１を表示処理回路２４に出力する。
画像記録表示装置２の符号化データ記録回路６４は、上記実施の形態１と同様にして、伝送Ｉ／Ｆ２３が記録用画像Ｓ２を受信すると、その記録用画像Ｓ２は既に圧縮符号化されているため、その記録用画像Ｓ２を圧縮符号化せずに、そのまま記録用画像Ｓ２を記録媒体２６に記録する。
【００６９】
なお、上記の特許文献１の図２には、複数のカメラがネットワークを介して画像記録表示装置に接続されている構成が示されている。
このような構成の場合、個々のカメラが画像データを圧縮し、圧縮後の画像データをネットワークを介して画像記録表示装置に送信する。
画像記録表示装置では、圧縮後の画像データを伸張し、画像データを記録する場合には画像データのフレーム間引きを行う。
このとき、表示処理回路が複数のカメラの表示用画像を１つのモニタに分割表示する機能を有しているが（段落番号［００２１］）、これを可能にするには、個々のカメラの表示用画像を伸張してから、分割画面表示用に各画像を縮小処理する必要がある。
即ち、カメラ側で表示用画像を大きいサイズで符号化圧縮しても、データを受信して表示する側ではデータを伸張した後にサイズを縮小しなければならないため、分割表示においては、表示用に大きいサイズの符号化圧縮処理と伸張処理が無駄な処理といえる。
【００７０】
この実施の形態５では、画像記録表示装置２から送られてくる分割表示数に基づいて表示用画像Ｓ１がリサイズされてから符号化圧縮が行われるため、元々の大きなサイズを符号化圧縮する従来の技術と比べて、表示用画像Ｓ１の符号化圧縮負荷が小さくなる。また、圧縮された表示用画像Ｓ１を符号化データ伸張回路６３で伸張する場合も、既に分割表示用に縮小されたデータの伸張であるため処理負荷も小さく、処理時間も短い。
また、伸張後の表示用画像Ｓ１を一時的に記憶するフレームメモリの容量も小さくて済むようになる。
また、表示処理において画像サイズの縮小処理が不要であるため、表示処理回路２４が簡素化されて、表示までの遅延時間も短くなる。
【００７１】
以上で明らかなように、この実施の形態５によれば、２系統に分割した表示用画像Ｓ１と記録用画像Ｓ２をリサイズして、間引きしてから符号化圧縮するように構成したので、トータルの符号化処理負荷を小さくできる効果を奏する。また、画像記録表示装置２における表示用画像Ｓ１の伸張処理回路が簡素化され、装置のコストを低減することができる効果も奏する。
【図面の簡単な説明】
【００７２】
【図１】この発明の実施の形態１による監視カメラシステムを示す構成図である。
【図２】表示用画像Ｓ１をモニタ３に４分割表示する場合の表示用画像Ｓ１と記録用画像Ｓ２の送信状況を示す説明図である。
【図３】表示用画像Ｓ１をモニタ３に９分割表示する場合の表示用画像Ｓ１と記録用画像Ｓ２の送信状況を示す説明図である。
【図４】この発明の実施の形態２による監視カメラシステムを示す構成図である。
【図５】この発明の実施の形態３による監視カメラシステムを示す構成図である。
【図６】この発明の実施の形態３における監視カメラ１−１〜１−９が記録用画像Ｓ２を送信するタイミングを示すタイムチャートである。
【図７】この発明の実施の形態１における監視カメラ１−１〜１−９が記録用画像Ｓ２を送信するタイミングを示すタイムチャートである。
【図８】この発明の実施の形態３における監視カメラ１−１〜１−４が表示用画像Ｓ１を送信するタイミングを示すタイムチャートである。
【図９】この発明の実施の形態４による監視カメラシステムを示す構成図である。
【図１０】この発明の実施の形態５による監視カメラシステムを示す構成図である。
【符号の説明】
【００７３】
１−１〜１−Ｎ  監視カメラ、２  画像記録表示装置、３  モニタ、１１  伝送Ｉ／Ｆ（設定情報受信手段、画像送信手段）、１２  撮像素子（画像データ生成手段）、１３  Ａ／Ｄコンバータ（画像データ生成手段）、１４  画像縮小率算出回路（表示用画像生成手段）、１５  画像サイズ縮小回路（表示用画像生成手段）、１６  フレーム間引き制御回路（記録用画像生成手段）、１７  フレーム間引き回路（記録用画像生成手段）、２１  表示モード設定部（設定情報受付手段）、２２  フレームレート設定部（設定情報受付手段）、２３  伝送Ｉ／Ｆ（設定情報送信手段、画像受信手段、送信タイミング制御手段）、２４  表示処理回路（画像表示手段）、２５  圧縮符号化回路（画像記録手段）、２６  記録媒体、３１  ネットワークＩ／Ｆ（設定情8報受信手段、画像送信手段）、３２  ネットワークＩ／Ｆ（設定情報送信手段、画像受信手段）、３３  ネットワーク、４１  フレーム同期信号生成回路（送信タイミング制御手段）、４２  フレーム同期制御回路（画像送信手段）、５１  表示解像度設定部（設定情報受付手段）、５２  画像縮小率算出回路（表示用画像生成手段）、６１  符号化圧縮回路（画像送信手段）、６２  符号化圧縮回路（画像送信手段）、６３  符号化データ伸張回路（画像表示手段）、６４  符号化データ記録回路（画像記録手段）。
【図１】
2008131264.tif 000003
【図２】
2008131264.tif 000004
【図３】
2008131264.tif 000005
【図４】
2008131264.tif 000006
【図５】
2008131264.tif 000007
【図６】
2008131264.tif 000008
【図７】
2008131264.tif 000009
【図８】
2008131264.tif 000010
【図９】
2008131264.tif 000011
【図１０】
2008131264.tif 000012